(57)【要約】  弁頭（５）の内側および外側圧着縁（３、４）を備えた推進ガス容器（２）に取り付けて使用される泡噴射ヘッド（１）が開示される。泡噴射ヘッド（１）は、操作ボタン（６）および泡噴射口（７）を有し、弁ステム（８）に直接嵌め込まれる。泡噴射ヘッド（１）の下部（９）は、ほぼ内側の圧着縁（３）の内径（１１）に等しい外径（１０）を有している。下部（９）の下側領域（１２）には、操作ボタン（６）に対向して配置された外側リブ（１３）が内側の圧着縁（３）の下側（１４）に下側から係合するように配置される。下部（９）の下側の縁領域（１５）には、環状のバネ（１７）を形成すべく少なくとも１つの切欠部（１６）が備えられる。【選択図】図１
2007513020.tif 000002
【特許請求の範囲】
【請求項１】
弁頭（５）の内側および外側の圧着縁（３、４）を備えた推進ガス容器（２）に取り付けて使用される泡噴射ヘッド（１）であって、
操作ボタン（６）に泡噴射口（７）を有し、弁ステム（８）に直接嵌め込まれる泡噴射ヘッド（１）において、
前記泡噴射ヘッド（１）の下部（９）は、ほぼ前記内側の圧着縁（３）の内径（１１）に等しい外径（１０）を有し、前記下部（９）の下側領域（１２）には、前記操作ボタン（６）に対向して配置された外側リブ（１３）が、前記内側の圧着縁（３）の下側（１４）に下側から係合するように配置され、前記下部（９）の下側の縁領域（１５）には、環状のバネ（１７）を形成すべく少なくとも１つの切欠部（１６）が備えられていることを特徴とする泡噴射ヘッド。
【請求項２】
弁頭（５）の内側および外側の圧着縁（３、４）を備えた推進ガス容器（２）を備えた泡噴射ヘッド（１）であって、
操作ボタン（６）および泡噴射口（７）を有し、弁ステム（８）に直接嵌め込まれた泡噴射ヘッド（１）において、
前記泡噴射ヘッド（１）の下部（９）は、ほぼ前記内側の圧着縁（３）の内径（１１）に等しい外径（１０）を有し、前記下部（９）の下側領域（１２）には、前記操作ボタン（６）に対向して配置された外側リブ（１３）が、前記内側の圧着縁（３）の下側（１４）に下側から係合するように配置され、前記下部（９）の下側の縁領域（１５）には、環状のバネ（１７）を形成すべく、少なくとも１つの切欠部（１６）が備えられ、前記外側の圧着縁（４）は、嵌め込み接合部（１８）として、前記推進ガス容器（２）の少なくとも上側領域（１９）を被覆するケーシング（２０）を備えていることを特徴とする泡噴射ヘッド。
【請求項３】
前記ケーシング（２０）はグリップ部（２１）として形成されていることを特徴とする請求項２に記載の推進ガス容器（２）を備えた泡噴射ヘッド（１）。
【請求項４】
前記グリップ部（２１）は滑らないように表面処理されていることを特徴とする請求項３に記載の推進ガス容器（２）を備えた泡噴射ヘッド（１）。
【請求項５】
前記ケーシング（２０）は装飾部（２２）として形成されていることを特徴とする請求項２に記載の推進ガス容器（２）を備えた泡噴射ヘッド（１）。
【請求項６】
前記ケーシング（２０）の上部には環状の隆起部（２７）が備えられて、保護キャップ（２５）を着脱可能に被せることができるようになっており、前記環状の隆起部（２７）の外径は、前記外側の圧着縁（４）の外径に対応する大きさを有していること特徴とする請求項２に記載の推進ガス容器（２）を備えた泡噴射ヘッド（１）。
【発明の詳細な説明】
【技術分野】
【０００１】
本発明は、請求項１の前段部分に記載されるような泡噴射ヘッド、および請求項２の前段部分に記載されるような推進ガス容器を備えた泡噴射ヘッドに関するものである。
【背景技術】
【０００２】
たとえば、ＥＰ０７９２８２１Ａ１には、量産品として製造されたプラスチック製の泡噴射ヘッドが記載されている。この泡噴射ヘッドは、推進ガス容器の外側の圧着縁に接続されることによって固定される。
【発明の開示】
【発明が解決しようとする課題】
【０００３】
本発明の第１の課題は、簡単な方法で、実質上材料使用量を削減することができるような泡噴射ヘッドを提供することにある。また、本発明の第２の課題は、簡単な方法によって実質上材料使用量を削減し、また、簡単な方法で、再使用可能な推進ガス容器を提供することにある。
【課題を解決するための手段】
【０００４】
これらの課題は、請求項１および請求項２の特徴部分に記載された構成によって解決される。本発明のさらに別の好ましい実施態様がそれらに続く従属項に記載されている。
【発明を実施するための最良の形態】
【０００５】
以下、本発明の好ましい実施例について説明する。
図１は、本発明の第１の実施例による泡噴射ヘッド１を示した図である。この泡噴射ヘッド１は、弁頭５の内側および外側の圧着縁３、４を備えた推進ガス容器２に取り付けて使用される。泡噴射ヘッド１は、操作ボタン６、および泡噴射口７を有し、弁ステム８に直接嵌め込まれる。泡噴射ヘッド１の下部９は、ほぼ内側の圧着縁３の内径１１に等しい外径１０を有している。泡噴射ヘッド１の下部９は、図３に示されるように、内側の圧着縁３の内側に向かって傾けられ得るようになっている。下部９の下側領域１２には、操作ボタン６に対向して配置された外側リブ１３が設けられて、内側の圧着縁３の下側１４に下側から係合するようになっている。環状のバネ１７を形成するため、下部９の下側の縁１５には、少なくとも１つの切欠部１６が設けられる。それによって、泡噴射ヘッド１が操作可能とされ、そのとき、推進ガス容器２に確実に接続されて、外れないようになっている。泡の適用のために操作ボタン６が操作されたときの復元力が、バネ弾性を有する弁ステム８によってもたらされる。
【０００６】
泡噴射ヘッド１は、意図しない操作に対する、図中破線で示したような保護キャップ２５を備え得る。保護キャップ２５は、外側圧着縁４に対して着脱可能に接続される。
【０００７】
図２は図１のＸ領域の拡大詳細図である。
【０００８】
図３は、操作ボタン６によって操作された状態の、図１の泡噴射ヘッドの軸方向の断面図である。これから、内側の圧着縁３の下側１４に当接する外側リブ１３の傾斜が確実に生じる。
【０００９】
図４は、図３のＹ領域の拡大詳細図である。
【００１０】
図５は、図１の泡噴射ヘッドの、弁ステム８に対する取入口２３の詳細を示した図である。
【００１１】
図６は、図５の泡噴射ヘッド１の側面図である。
【００１２】
図７は、図６の泡噴射ヘッド１の下面図である。
【００１３】
図８および図９は、本発明の第２の実施例による泡噴射ヘッドの斜視図である。
【００１４】
図１０は、泡噴射ヘッド１が取り外された状態の推進ガス容器２の軸方向の断面図である。
【００１５】
図１１には、本発明の第２の実施例による、弁頭５の内側および外側の圧着縁３、４を備えた推進ガス容器を有する泡噴射ヘッド１が、示してある。図１１に示されるように、泡噴射ヘッド１は、操作ボタン６、および泡噴射口７を備え、弁ステム８に直接嵌め込まれる。泡噴射ヘッド１の下部９は、ほぼ内側の圧着縁３の内径１１に等しい外径１０を有している。下部９の下側領域１２には、操作ボタン６に対向して配置された外側リブ１３が設けられ、内側の圧着縁３の下側１４に下側から係合するようになっている。環状のバネ１７を形成するため、下部９の下側の縁１５は、少なくとも１つの切欠部１６を備えており、それによって、泡噴射ヘッド１の操作が可能となり、そのとき、泡噴射ヘッド１は推進ガス容器２に確実に接続されて、外れることがない。泡を適用すべく操作ボタン６が操作されたときの復元力が、バネ弾性を有する弁ステム８によって生じる。この第２の実施例は、図１に示した第１の実施例と、実質上、外側の圧着縁４が、嵌め込み接合部１８として、推進ガス容器２の少なくとも上側領域１９を被覆するケーシング２０を備えている点が異なっているだけである。この場合、ケーシング２０は、止め輪２６によって外側の圧着縁４に接続される。ケーシング２０は、グリップ部２１として形成され、それによって泡適用時の操作性が向上し、特に、グリップ部２１が滑らないように表面処理されている場合、この効果は著しい。あるいは、ケーシング２０は、装飾部２２として形成され、例えば、特定の着色および／または説明、例えば、泡製品に関するさらに詳細な情報の記載がなされ得る。泡噴射ヘッドとして、例えば、ヘアケア製品への適用が可能である。
【００１６】
泡噴射ヘッド１は、意図しない操作に対する、図中破線で示した保護キャップ２５（図１１参照）を備え得る。この保護キャップ２５は、ケーシング２０の上部の環状隆起部２７に着脱可能に接続され、この環状隆起部２７の外径は外側の圧着縁の外径に対応し、それによって、一般に市場で入手可能な保護キャップ２５を嵌め込むことができる。
【００１７】
図１２は図１１の領域Ｚの拡大詳細図である。
【００１８】
泡噴射ヘッド１の確実な傾斜状態の嵌め込みが、直径１０部分および切欠部１６のバネ作用に起因する環状のバネ１７と、片側に設けられた外側リブ１３との同時的な作用によって保証される。外側リブ１３は、内側の圧着縁１４に下側から係合するようになっている。泡噴射ヘッド１の操作ボタン６が上から指で押し付けられることによって、泡噴射ヘッド１が傾き、そして、弁ステム７が作動する。また、（２つの直径方向に対置された操作面による）２本指操作式の構成が、１つの変形例として可能である。この場合、環状のバネ１７は、いずれにせよ、保持機能のみを有していて、傾斜動作を支援するものではない。
【００１９】
泡噴射ヘッドの泡噴射口７は、上下にひっくり返された状態での使用（下向きの泡噴射ヘッド１）を意図されている。しかし、図１に示した第１の実施例の場合のように、泡噴射ヘッド１を、水平な向きに使用すること、あるいは上向きにして使用することが可能であり、この場合、弁ステム８の下部には、対応する（弾性力を有する）吸上管２４（図中破線で示している）が設けられ、この吸上管２４（図示されない）推進ガス容器２の底までのびている。
【００２０】
泡噴射ヘッド１は、意図しない操作に対する、図中破線で描かれた保護キャップ２５（図１参照）を備えており、保護キャップ２５は、外側の圧着縁４に対して着脱可能に接続される。
【００２１】
泡噴射ヘッド１の弁ステム８上への取付は、迅速になされ得る（弁ステム８上へのスライド嵌め込みおよび操作時の前面側にシール）。
【００２２】
本発明によれば、従来の弁外径１０に基づく構成に比べて、約５０％の材料削減およびコスト低減が実現される。
【図面の簡単な説明】
【００２３】
【図１】本発明の第１の実施例による泡噴射ヘッドの、推進ガス容器に接続された状態を示した軸方向の断面図である。
【図２】図１のＸ領域の拡大詳細図である。
【図３】図１の泡噴射ヘッドの操作された状態を示した軸方向の断面図である。
【図４】図３のＹ領域の拡大詳細図である。
【図５】図１の取り外された泡噴射ヘッドを示した図である。
【図６】図５の泡噴射ヘッドの側面図である。
【図７】図６の泡噴射ヘッドの下面図である。
【図８】図６の泡噴射ヘッドの変形例の斜視図である。
【図９】図６の泡噴射ヘッドの変形例の斜視図である。
【図１０】泡噴射ヘッドが取り付けられていない状態の推進ガス容器の軸方向の断面図である。
【図１１】本発明の第２の実施例による泡噴射ヘッドの、推進ガス容器に接続された状態であって、外側の圧着縁にケーシングが接続された状態の軸方向の断面図である。
【図１２】図１１のＺ領域の拡大詳細図である。
【符号の説明】
【００２４】
１  泡噴射ヘッド
２  推進ガス容器
３  内側の圧着縁
４  外側の圧着縁
５  弁頭
６  操作ボタン
７  泡噴射口
８  弁ステム
９  泡噴射ヘッド１の下部
１０  外形
１１  内径
１２  下部９の下側領域
１３  外側リブ
１４  内側の圧着縁３の下側
１５  下部９の下側縁領域
１６  切欠部
１７  環状ばね
１８  嵌め込み接続部
１９  推進ガス容器２の上側領域
２０  ケーシング
２１  グリップ部
２２  装飾部
２３  取入口
２４  吸上管
２５  保護キャップ
２６  嵌め込みリング
２７  環状隆起部
【図１】
2007513020.tif 000003
【図２】
2007513020.tif 000004
【図３】
2007513020.tif 000005
【図４】
2007513020.tif 000006
【図５】
2007513020.tif 000007
【図６】
2007513020.tif 000008
【図７】
2007513020.tif 000009
【図８】
2007513020.tif 000010
【図９】
2007513020.tif 000011
【図１０】
2007513020.tif 000012
【図１１】
2007513020.tif 000013
【図１２】
2007513020.tif 000014
【国際調査報告】
2007513020.tif 000015
2007513020.tif 000016
2007513020.tif 000017
2007513020.tif 000018
2007513020.tif 000019
2007513020.tif 000020